(57)【要約】本発明は、悪臭又は血中アルコール濃度を測定するシステムに関し、より詳細には、携帯端末機と、アルコールセンサー及び悪臭センサーを含み、互換性を高めるために前記携帯端末機のイヤホーン接続端子に接続される、悪臭測定機と、前記携帯端末機に設けられ、前記アルコールセンサー及び前記悪臭センサーから送信された信号を処理して飲酒情報及び悪臭情報のうちの１以上の情報を前記携帯端末機の画面に出力する、悪臭処理部と、を備えた口臭測定システムである。【選択図】図２
2015512043.tif 000002
【特許請求の範囲】
【請求項１】
携帯端末機と、
アルコールセンサー及び悪臭センサーを含み、互換性を高めるために前記携帯端末機のイヤホーン接続端子に接続される、悪臭測定機と、
前記携帯端末機に設けられ、前記アルコールセンサー及び前記悪臭センサーから送信された信号を処理して飲酒情報及び悪臭情報のうちの１以上の情報を前記携帯端末機の画面に出力する、悪臭処理部と、
を備えたことを特徴とする、口臭測定システム。
【請求項２】
前記悪臭処理部は、
飲酒情報を段階別に予め設定された飲酒情報と比較して処理し、処理した飲酒情報を前記携帯端末機の画面に出力する、飲酒分析部を含むことを特徴とする、請求項１に記載の口臭測定システム。
【請求項３】
前記悪臭処理部は、
悪臭情報を段階別に予め設定された悪臭情報と比較して処理し、処理した悪臭情報を前記携帯端末機の画面に出力する、悪臭分析部を含むことを特徴とする、請求項１に記載の口臭測定システム。
【請求項４】
前記悪臭処理部は、
使用者の前記携帯端末機の操作に応じて悪臭情報の段階基準を調整する、悪臭段階設定部をさらに含むことを特徴とする、請求項３に記載の口臭測定システム。
【請求項５】
前記悪臭処理部は、
使用者情報と飲酒情報及び悪臭情報に係る使用者が摂取した食物に関する食物情報とを前記携帯端末機を通じて入力する、情報入力部と、
前記情報入力部から入力された情報、前記飲酒情報、前記悪臭情報及び測定時間のうちの１以上が保存される、データベース部と、
前記携帯端末機を通じた使用者情報及び食物情報のいずれかの入力に基づいて前記データベース部に保存された情報を検索し、検索した情報を前記携帯端末機の画面に出力する、情報検索部と、
を含むことを特徴とする、請求項１に記載の口臭測定システム。
【請求項６】
前記悪臭処理部は、
前記飲酒分析部又は前記悪臭分析部が処理した情報を前記携帯端末機のスピーカーを通じて音で知らせる、サウンド処理部をさらに含むことを特徴とする、請求項２又は３に記載の口臭測定システム。
【請求項７】
前記悪臭測定機は、
前記アルコールセンサー及び前記悪臭センサーのうちの１以上を選択的に作動させる、センサー選択部をさらに含むことを特徴とする、請求項１に記載の口臭測定システム。
【請求項８】
前記悪臭測定機は、前記携帯端末機の電源を利用することを特徴とする、請求項１に記載の口臭測定システム。
【請求項９】
前記悪臭測定機は、前記アルコールセンサー及び前記悪臭センサーを作動させるバッテリーを内部に含むことを特徴とする、請求項１に記載の口臭測定システム。
【請求項１０】
前記悪臭測定機は、
前記バッテリーの消耗を減らすために、前記携帯端末機の信号を検出して、前記悪臭測定機が前記携帯端末機に接続された状態のときだけ前記悪臭測定機を作動させる、検出部をさらに含むことを特徴とする、請求項９に記載の口臭測定システム。
【請求項１１】
前記携帯端末機に設けられ、使用者間における有線又は無線の通信網を通じた前記悪臭処理部が処理した情報の共有及びコミュニティのうちの１以上を行う、悪臭情報共有部をさらに備えたことを特徴とする、請求項１に記載の口臭測定システム。
【発明の詳細な説明】
【技術分野】
【０００１】
本発明は、悪臭又は血中アルコール濃度を測定するシステムに関し、より詳細には、悪臭測定機を携帯端末機に接続して、使用者の飲酒状態及び口臭状態を携帯端末機を通じて使用者に知らせるものであり、使用者が摂取した食物に関する食物情報及びこれに伴う悪臭情報又は飲酒情報を累積し、累積した情報に基づいて、悪臭を誘発しかねない食物や飲酒状態の持続時間を検索することができる、口臭測定システムに関する。
【背景技術】
【０００２】
飲酒運転は、体内に蓄積されたアルコールによって、判断力及び反射神経が低下し、運転視野が狭くなって、大事故を誘発する。そのため、飲酒後体内に一定量以上のアルコールが残っている場合は運転ができないように、法的な規制がなされている。
【０００３】
飲酒運転者を見ると、飲酒量が飲酒運転の取り締まりに引っ掛からない程度だと自ら判断して運転している場合が多い。しかしながら、このような判断は、自身の経験による判断であるため、必ずしも正確ではない。特に、飲酒運転の取り締まりに引っ掛かった場合には、警察官と飲酒運転者との間で飲酒量に関する議論がたびたび生じる。
【０００４】
一方、生理的口臭は、食品、酒、タバコの摂取時の他、唾液の分泌量が減少したり口腔が不潔であったり空腹が長時間続いたりしたときに発生するものであり、本人が自覚できず、相手に不快感を与えるという問題がある。
【０００５】
また、上記のように口臭を自覚できないため、実際に口臭がないにもかかわらず、本人の主観的な強迫観念によって、対人を忌避する等の神経症的な症状が生じ得るという問題がある。
【０００６】
また、自覚できる口臭であっても、口臭がどの程度であるかは分かり難いため、対人の忌避等、共同体を営む社会生活に多くの問題をもたらす。
【発明の概要】
【発明が解決しようとする課題】
【０００７】
本発明は、上記の問題を解決するため、悪臭測定機を携帯端末機のイヤホーン接続端子に接続することで悪臭測定機の汎用性を広げて、飲酒状態及び口臭状態を携帯端末機を通じて使用者に知らせるものであり、飲酒及び口臭に係る情報を累積して、お酒や食物の種類による血中アルコール濃度、飲酒状態の持続時間及び口臭状態を検索して、使用者が飲酒状態又は口臭状態を事前に把握し対応することができ、通信網を通じて使用者間の口臭情報を共有してコミュニケーションをすることで口臭又は二日酔いの解消に有用な情報を交換することができる、口臭測定システムを提供することを目的とする。
【課題を解決するための手段】
【０００８】
上記目的を達成するため、本発明に係る口臭測定システムは、携帯端末機と、アルコールセンサー及び悪臭センサーを含み、互換性を高めるために前記携帯端末機のイヤホーン接続端子に接続される、悪臭測定機と、前記携帯端末機に設けられ、前記アルコールセンサー及び前記悪臭センサーから送信された信号を処理して飲酒情報及び悪臭情報のうちの１以上の情報を前記携帯端末機の画面に出力する、悪臭処理部と、を備えたことを特徴とする。
【０００９】
前記悪臭処理部は、飲酒情報を段階別に予め設定された飲酒情報と比較して処理し、処理した飲酒情報を前記携帯端末機の画面に出力する、飲酒分析部を含んでよい。
【００１０】
前記悪臭処理部は、悪臭情報を段階別に予め設定された悪臭情報と比較して処理し、処理した悪臭情報を前記携帯端末機の画面に出力する、悪臭分析部を含んでよい。前記悪臭処理部は、使用者の前記携帯端末機の操作に応じて前記悪臭情報の段階基準を調整する、悪臭段階設定部をさらに含んでよい。
【００１１】
前記悪臭処理部は、使用者情報と飲酒情報及び悪臭情報に係る使用者が摂取した食物に関する食物情報とを前記携帯端末機を通じて入力する、情報入力部と、前記情報入力部から入力された情報、前記飲酒情報、前記悪臭情報及び測定時間のうちの１以上が保存される、データベース部と、前記携帯端末機を通じた使用者情報及び食物情報のいずれかの入力に基づいて前記データベース部に保存された情報を検索し、検索した情報を前記携帯端末機の画面に出力する、情報検索部と、を含んでよい。
【００１２】
前記悪臭処理部は、前記飲酒分析部又は前記悪臭分析部が処理した情報を前記携帯端末機のスピーカーを通じて音で知らせる、サウンド処理部をさらに含んでよい。前記悪臭測定機は、前記アルコールセンサー及び前記悪臭センサーのうちの１以上を選択的に作動させる、センサー選択部をさらに含んでよい。
【００１３】
前記悪臭測定機は、前記携帯端末機の電源を利用してよい。また、前記悪臭測定機は、前記アルコールセンサー及び前記悪臭センサーを作動させるバッテリーを内部に含んでよい。
【００１４】
前記悪臭測定機は、前記バッテリーの消耗を減らすために、前記携帯端末機の信号を検出して、前記悪臭測定機が前記携帯端末機に接続された状態のときだけ前記悪臭測定機を作動させる、検出部をさらに含んでよい。
【００１５】
本発明に係る口臭測定システムは、前記携帯端末機に設けられ、使用者間における有線又は無線の通信網を通じた前記悪臭処理部から処理された情報の共有及びコミュニティのうちの１以上を行う、悪臭情報共有部をさらに備えてよい。
【発明の効果】
【００１６】
本発明は、携帯端末機のイヤホーン接続端子に悪臭測定機を接続する構成であるため、携帯端末機の種類によらず様々な携帯端末機に悪臭測定機を接続することができ、互換性に非常に優れる。
【００１７】
また、使用者の口臭（飲酒）状態による血中アルコール濃度及び悪臭情報をデータベース化し、データ検索により使用者が摂取を避けなければならない食物又は飲酒量を把握し調節することができる。
【００１８】
また、使用者達は、通信網を通じて情報を共有したり、二日酔い又は口臭の解消に係る情報を交換したりすることができる。さらに、口臭状態を音で知らせることで、視力が悪い使用者でも口臭状態を容易に知ることができる。
【図面の簡単な説明】
【００１９】
【図１】本発明の実施例に係る口臭測定システムを概略的に示す図面である。
【図２】本発明の実施例に係る口臭測定システムを概略的に示すブロック図である。
【発明を実施するための形態】
【００２０】
以下、添付の図面を参照して、本発明が属する技術分野で通常の知識を持った者が本発明を容易に実施できるように、本発明の望ましい実施例について説明する。ただし、本発明の望ましい実施例の動作原理に関しては、公知の機能又は構成について具体的な説明をすることで本発明の要旨が不要に不明確になり得ると判断される場合には、その詳細な説明を省略する。
【００２１】
本発明の実施例に係る口臭測定システムは、図１及び図２に示すように、携帯端末機（１）、悪臭測定機（３）及び悪臭処理部（２）を含み、悪臭情報共有部（２８）をさらに含む。
【００２２】
携帯端末機（１）は、イヤホーン接続端子が具備された一般的なスマートフォンである。悪臭測定機（３）は、棒状の形態であり、概略楕円形の外形を有する。悪臭測定機（３）の上部は、傾斜した形状であり、空気を吹き入れることができるように一領域が開口されて流入口（図示せず）が形成されている。また、悪臭測定機（３）は、イヤホーン端子を下部に有し、アルコールセンサー（３１）、悪臭センサー（３２）及びバッテリー（３５）を内部に含む。
【００２３】
悪臭測定機（３）は、そのイヤホーン端子を携帯端末機（１）のイヤホーン接続端子に挿入することで、携帯端末機（１）と接続される。悪臭測定機（３）は、センサー選択部(３４）及び検出部（３３）をさらに含む。
【００２４】
アルコールセンサー（３１）は、悪臭測定機（３）の内部に設けられている。アルコールセンサー（３１）は、一般的に使用されているものであり、悪臭測定機（３）の流入口を通じて使用者の口から出された呼気中のアルコール成分を検出するものである。ここで、アルコールセンサー（３１）がアルコール成分を検出する技術は既に公開された技術であるから詳しい説明は省略することにする。
【００２５】
悪臭センサー（３２）は、悪臭測定機（３）の内部に設けられている。悪臭センサー（３２）は、一般的に使用されている揮発性黄化合物を測定するセンサーであり、悪臭測定機（３）の流入口を通じて使用者の口から出された呼気中の黄化合物成分を検出するものである。ここで、悪臭センサー（３２）が黄化合物成分を検出する技術は既に公開された技術であるから詳しい説明は省略することにする。
【００２６】
バッテリー（３５）は、一般的な乾電池又は蓄電池等であって、悪臭測定機（３）に着脱可能に装着され又は内蔵されて、アルコールセンサー（３１）及び悪臭センサー（３２）に電源を供給する。バッテリー（３５）が悪臭測定機（３）に内蔵される場合には、例えば、耐久性が高く充電効率が良くかつ使用時間が長いリチウムポリマー電池がバッテリー（３５）として用いられる。
【００２７】
また、バッテリー（３５）が悪臭測定機（３）に内蔵される場合、悪臭測定機（３）は、バッテリー（３５）を充電するための充電端子（図示せず）をさらに含み、或いは、悪臭測定機（３）のイヤホーン端子を通じてバッテリー（３５）を充電するためにイヤホーン端子に装着されるＵＳＢ変換コネクター（図示せず）をさらに含んでよい。これによって、コンピューター（図示せず）のＵＳＢ接続ポートを通じてバッテリー（３５）を充電することができる。
【００２８】
なお、バッテリー（３５）を省略し、悪臭測定機（３）が携帯端末機（１）の電源を利用する構成としてもよい。この構成の場合、例えば、悪臭測定機（３）のイヤホーン端子を携帯端末機（１）のイヤホーン接続端子に接続すると、携帯端末機（１）の電源が悪臭測定機（３）に供給され、悪臭測定機（３）が自動的に駆動する。
【００２９】
センサー選択部（３４）は、悪臭測定機（３）の一部に設けられており、アルコールセンサー（３１）及び悪臭センサー（３２）のうちの１つ又は両方を選択して作動させる。
【００３０】
これによって、飲酒測定と口臭測定とを、別々に行うこともできるし、同時に行うこともできる。また、センサーを適宜選択して測定を行うことで、バッテリー（３５）又は携帯端末機（１）の電力の消耗を最小化することができる。
【００３１】
検出部（３３）は、悪臭測定機（３）の内部に設けられており、悪臭測定機（３）がイヤホーン端子を通じて携帯端末機（１）と接続されているか否かを検出し、接続された状態であれば悪臭測定機（３）を駆動させ、接続されていない状態であれば悪臭測定機（３）の駆動を停止させる。これにより、悪臭測定機（３）が携帯端末機（１）との接続が解除された状態で駆動されてバッテリー（３５）が消耗するのを防止することができる。
【００３２】
悪臭測定機（３）は、バッテリー（３５）を含む場合、別途の電源ボタン（図示せず）を具備してよい。この場合において電源ボタンで悪臭測定機（３）を駆動させたとしても、検出部（３３）によって悪臭測定機（３）が携帯端末機（１）と接続されていないことが検出されれば、悪臭測定機（３）の駆動は停止される。
【００３３】
例えば、悪臭測定機（３）をかばんに入れて携帯した状態で電源ボタンが誤って押された場合、バッテリー（３５）が持続的に消耗して放電されることがある。そこで、悪臭測定機（３）は、バッテリー（３５）が放電されるのを防止するために、検出部（３３）を具備している。
【００３４】
悪臭処理部（２）は、携帯端末機（１）に設けられたアプリケーションであって、アルコールセンサー（３１）及び悪臭センサー（３２）から送信された信号を処理して飲酒情報又は悪臭情報を携帯端末機（１）の画面に出力する。悪臭処理部（２）は、飲酒分析部（２１）、悪臭分析部（２２）、悪臭段階設定部（２３）、情報入力部（２４）、データベース部（２６）及び情報検索部（２５）を含み、サウンド処理部(２７）をさらに含む。悪臭処理部は、有線又は無線の通信網を通じてサービスサーバー（図示せず）から携帯端末機（１）にダウンロードすることができる。
【００３５】
飲酒分析部（２１）は、アルコールセンサー（３１）から送信された信号を受信して飲酒情報に変換し、飲酒情報を携帯端末機（１）の画面に出力する。このとき、飲酒分析部（２１）は、変換した飲酒情報と段階別に予め設定された飲酒情報とを比較して、現在の飲酒状態がどの段階にあるかを携帯端末機（１）の画面を通じて使用者に知らせる。
【００３６】
例えば、予め設定された飲酒情報は、飲酒状態に応じた第１〜第４の段階別に存在し、第１段階では“運転に気を付けてください”、第２段階では“休息を取ってください”、第３段階では“運転しないでください”、第４段階では“車を置いて行ってください”、等のメッセージが携帯端末機（１）の画面に出力される。飲酒情報は、使用者の選択によって、後述するデータベース部（２６）に保存される。これについては、後に詳述する。
【００３７】
悪臭分析部（２２）は、悪臭センサー（３２）から送信された信号を受信して悪臭情報で変換し、悪臭情報を携帯端末機（１）の画面に出力する。このとき、悪臭分析部（２２）は、変換した悪臭情報と段階別に予め設定された悪臭情報とを比較して、現在の悪臭状態がどの段階にあるかを携帯端末機（１）の画面を通じて使用者に知らせる。
【００３８】
例えば、予め設定された悪臭情報は、悪臭状態に応じた第１〜第４の段階別に存在し、第１段階では“口臭なし（すっきりしていますね）”、第２段階では“若干の口臭発見（キスは気を付けて）”、第３段階では“強い口臭発見（キスしてはいけません）”、第４段階では“非常に強い口臭発見（絶対キスはだめです）”、等のメッセージが携帯端末機（１）の画面に出力される。悪臭情報は、使用者の選択によって、後述するデータベース部（２６）に保存される。これについては、後に詳述する。
【００３９】
使用者は、アルコール分析部及び悪臭分析部（２２）のうちの１つ又は両方を選択し、測定することができる。
【００４０】
なお、悪臭に対する評価には、個人差がある。そこで、悪臭処理部（２）は、悪臭情報の段階基準を調整する悪臭段階設定部（２３）を含む。悪臭段階設定部（２３）は、使用者の携帯端末機（１）の操作に応じて悪臭情報の段階基準を調整する。例えば、相手に口臭の程度を聞いてみて、予め設定された悪臭情報とは別の段階に設定することができる。使用者がよく会う相手に口臭の程度を直接聞いて意見を収集し、その収集した意見に基づいて、悪臭情報の段階基準を調整することができる。
【００４１】
情報入力部（２４）は、使用者情報と、飲酒情報及び悪臭情報に係る使用者が摂取した食物に関する食物情報とを、携帯端末機（１）を通じて入力する。使用者は、情報入力部（２４）に入力された情報に基づいて、摂取を避けなければならない食物や飲酒量を把握し調節することができる。例えば、使用者が“スンデクック"を食べた後に悪臭測定をし、第３段階以上のメッセージが携帯端末機（１）に出力された場合、情報入力部（２４）は、使用者が摂取した食物に関する食物情報を入力し、当該食物情報を後述するデータベース部（２６）に保存する。このとき、口臭状態の持続時間を検索できるように、口臭測定が行われた日時も自動にデータベース部（２６）に入力及び保存される。
【００４２】
これによって、使用者は、相談やセミナーがある場合に、事前に、後述する情報検索部（２５）を通じて食物情報を検索して口臭発生に対応することができ、様々な人に対する口臭被害を最小化することができる。
【００４３】
また、使用者が“焼酒１本及びビール１本”を飲んだ場合、使用者は情報入力部（２４）を通じて酒類情報と酒量による飲酒状態とを時間毎に入力することができる。これによって、使用者は、後述する情報検索部（２５）を通じて、飲酒量に応じた飲酒状態や飲酒状態の持続時間を把握することができる。
【００４４】
データベース部（２６）は、飲酒分析部（２１）及び悪臭分析部（２２）が処理した情報や、情報入力部（２４）から入力された情報（即ち、使用者情報、食物情報等）を保存する。データベース部（２６）には、飲酒情報及び悪臭情報とこれに関する日時とが自動で保存される。
【００４５】
データベース部（２６）は、携帯端末機（１）に内蔵されたメモリーを利用する。これによって、飲酒情報、悪臭情報、使用者情報、食物情報、日時等を保存して累積し、これをデータベース化することができる。これについては、後に詳述する。
【００４６】
情報検索部（２５）は、携帯端末機（１）を通じた使用者情報及び食物情報のいずれかの入力に基づいて、データベース部（２６）に保存された情報（主に食物情報及び使用者情報）を検索する。使用者は、当該データ検索により、自身の飲酒量及び口臭程度を把握し調節することができる。
【００４７】
上述した情報入力部（２４）及び情報検索部（２５）に対する情報の入力は、音声で行うことができる。したがって、文字入力が遅い使用者でも、容易に情報を入力することができる。
【００４８】
サウンド処理部(２７）は、飲酒情報、悪臭情報及び情報検索部（２５）によって検索された情報を、携帯端末機（１）のスピーカーを通じて音で知らせる（音声で出力をする）。
【００４９】
即ち、使用者は、視力の悪い高齢層や酷く酔った人の場合、携帯端末機（１）に出力された情報を容易に調べることができない。そこで、携帯端末機（１）に出力された情報をサウンド処理部（２７）で音声に変換し、携帯端末機（１）のスピーカーを通じて音声を出力する。これにより、使用者は、飲酒情報、悪臭情報及び情報検索部（２５）で検索された情報を、音で聞いて把握することができる。
【００５０】
悪臭情報共有部（２８）は、有線又は無線の通信網を通じて使用者達が情報を共有したりコミュニケーションを行ったりする所である。使用者達は、悪臭情報共有部（２８）を通じて情報を共有したり、二日酔い又は口臭の解消に有用な情報を交換したりすることができる。また、悪臭情報共有部（２８）において使用者達の順位を比較し提示することで、興味を持たせることもできる。
【００５１】
上述した本発明の説明において、その実施例が相異なっていても同じ構成に対しては同じ参照番号を使って、必要に応じてその説明を省略することができる。
【００５２】
以上のように、添付の図面を参照した実施例に基づいて本発明に関する具体的な説明を行ったが、上記の実施例は本発明の望ましい実施形態の一例として示したものであり、本発明は上記の実施例に限定されるものではない。
【００５３】
即ち、本発明が属する技術分野で通常の知識を持った者は、上記の実施例に関する説明に基づいて、本発明の他の形態を容易に実施したり、本発明と均等な範囲の発明を実施したりすることができる。
【符号の説明】
【００５４】
１  携帯端末機
２  悪臭処理部
２１  飲酒分析部
２２  悪臭分析部
２３  悪臭段階設定部
２４  情報入力部
２５  情報検索部
２６  データベース部
２７  サウンド処理部
２８  悪臭情報共有部
３  悪臭測定機
３１  アルコールセンサー
３２  悪臭センサー
３３  検出部
３４  センサー選択部
３５  バッテリー
【図１】
2015512043.tif 000003
【図２】
2015512043.tif 000004
【国際調査報告】
2015512043.tif 000005
2015512043.tif 000006
2015512043.tif 000007
2015512043.tif 000008